(57)【要約】【課題】電極先端の消耗を抑制してランプ寿命を延長させることができ、また、フリッカの発生を抑制すると共に表示画面の明るさの均一性を向上させることを可能にした放電灯点灯装置及びそれを内蔵したプロジェクタを提供する。【解決手段】直流電圧を入力し、所定の直流電流を供給するダウンチョパー２と、ダウンチョッパー２から供給される直流電流を転流し、所定の点灯周波数の交流電流に変換して高圧放電ランプ７に駆動電流を供給するインバータ３と、ダウンチョッパー２及びインバータ３を制御する制御部６とを備え、制御部６は、インバータ３が供給する駆動電流を、所定の点灯周波数より高い周波数で、極性が変化しない範囲で脈動させて高圧放電ランプ７へ供給される電力を制御する。【選択図】図１
2008123890.tif 000002
【特許請求の範囲】
【請求項１】
直流電圧を入力し、所定の直流電流を供給する直流電源と、
該直流電源から供給される前記直流電流を転流し、所定の点灯周波数の交流電流に変換して放電ランプに駆動電流を供給するインバータと、
前記直流電源及び前記インバータを制御する制御手段と
を備え、
前記制御手段は、
前記インバータが供給する前記駆動電流を、前記所定の点灯周波数より高い周波数で、極性が変化しない範囲で脈動させて前記放電ランプへ供給される電力を制御することを特徴とする放電灯点灯装置。
【請求項２】
前記制御手段は、
前記インバータが供給する前記駆動電流の、転流前又は／及び転流後の所定時間、前記放電ランプへ供給される電力を増加させるように、該駆動電流を、極性が変化しない範囲で脈動させることを特徴とする請求項１記載の放電灯点灯装置。
【請求項３】
前記制御手段は、
前記インバータが供給する前記駆動電流の半周期単位で、前記所定の点灯周波数と非同期に、前記放電ランプへ供給される電力を増加させるように、該駆動電流を、極性が変化しない範囲で脈動させることを特徴とする請求項１又は２記載の放電灯点灯装置。
【請求項４】
前記インバータは、フルブリッジ接続された４個のスイッチング素子を有し、
前記制御手段は、
前記ブリッジのローサイド側のスイッチング素子を前記所定の点灯周波数で駆動させ、
前記ブリッジのハイサイド側のスイッチング素子を前記所定の点灯周波数より高い周波数で駆動させることを特徴とする請求項１〜３の何れかに記載の放電灯点灯装置。
【請求項５】
放電ランプと、
請求項１〜請求項４の何れかに記載の放電灯点灯装置と、
空間光変調器と、
前記放電ランプからの光を前記空間光変調器に導く光学手段と、
前記空間光変調器に描画された画像をスクリーンに投射する投射手段と
を備えることを特徴とするプロジェクタ。
【発明の詳細な説明】
【技術分野】
【０００１】
本発明は、放電灯点灯装置及びそれを内蔵したプロジェクタに関し、特に、放電ランプへの供給電力の制御に関する。
【背景技術】
【０００２】
従来の放電灯点灯装置は、例えば、「交流ランプ電流を高圧放電灯に供給して高圧放電灯を点灯するに当たり、ランプ電流の半周期の所定数分の１で電流パルスを発生させ、この電流パルスの極性を前記ランプ電流の極性と同一にするとともにこの電流パルスをその発生した半周期の後の部分でこのランプ電流に重畳する…」というものが提案されている（例えば、特許文献１参照）。
【０００３】
【特許文献１】特表平１０−５０１９１９号公報（特許請求の範囲）
【発明の開示】
【発明が解決しようとする課題】
【０００４】
放電ランプは、放電灯点灯装置から供給される駆動電流（以下、ランプ電流ともいう）により点灯される。一般に、放電ランプの調光は、この駆動電流を変動させることによりランプ電圧と駆動電流との積による駆動電力を制御することで行われる。しかしながら、駆動電流を変化させると、アーク放電の１周期当たりに流れる電流が変化し、電極先端の温度が変化することにより電極先端が消耗して、ランプ寿命が短くなる、という問題点があった。
【０００５】
また、上記の従来技術（特許文献１）においては、電流パルスを駆動電流の半周期の後の部分に同期して重畳させているので、放電ランプ電極の温度が上昇し、放電アークが安定しフリッカの発生が抑制されている。しかしながら、その放電ランプを例えばプロジェクタの光源として用いた場合には、表示画面への副作用として、電流パルスの重畳の時間分、画面の明るさが一部明るくなり、その結果として、画面の明るさの均一性が損なわれる、という問題点があった。
【０００６】
本発明は、このような問題点を解決するためになされたものであり、電極先端の消耗を抑制してランプ寿命を延長させることができ、フリッカの発生を抑制すると共に表示画面の明るさの均一性を向上させることを可能にした放電灯点灯装置及びそれを内蔵したプロジェクタを提供することを目的とする。
【課題を解決するための手段】
【０００７】
本発明に係る放電灯点灯装置は、直流電圧を入力し、所定の直流電流を供給する直流電源と、該直流電源から供給される前記直流電流を転流し、所定の点灯周波数の交流電流に変換して放電ランプに駆動電流を供給するインバータと、前記直流電源及び前記インバータを制御する制御手段とを備え、前記制御手段は、前記インバータが供給する前記駆動電流を、前記所定の点灯周波数より高い周波数で、極性が変化しない範囲で脈動させて前記放電ランプへ供給される電力を制御するものである。
本発明においては、インバータが供給する駆動電流を、所定の点灯周波数より高い周波数で、極性が変化しない範囲で脈動させて放電ランプへ供給される電力を制御しており、このため、点灯周波数を変化させることなく調光することが可能となり、点灯周波数の変化に伴うランプ電極の消耗を抑制することができる。
【０００８】
本発明に係る放電灯点灯装置は、前記制御手段は、前記インバータが供給する前記駆動電流の、転流前又は／及び転流後の所定時間、前記放電ランプへ供給される電力を増加させるように、該駆動電流を、極性が変化しない範囲で脈動させるものである。
本発明においては、インバータが供給する駆動電流の転流前又は／及び転流後の所定時間、放電ランプへ供給される電力を増加させており、このため、放電ランプの放電アークが安定し、フリッカの発生を抑制することができる。
【０００９】
本発明に係る放電灯点灯装置は、前記制御手段は、前記インバータが供給する前記駆動電流の半周期単位で、前記所定の点灯周波数と非同期に、前記放電ランプへ供給される電力を増加させるように、該駆動電流を、極性が変化しない範囲で脈動させる。
本発明においては、インバータが供給する駆動電流の半周期単位で、所定の点灯周波数と非同期に、放電ランプへ供給される電力を増加させており、このため、放電ランプの放電アークが安定し、フリッカの発生を抑制することができると共に、この放電灯点灯装置を仮にプロジェクタ等に用いた場合においても、点灯周波数と非同期に電力が増加しているので、表示画面の明るさが一部明るくなることがなく、表示画面の明るさの均一性が向上する。
【００１０】
本発明に係る放電灯点灯装置は、前記インバータは、フルブリッジ接続された４個のスイッチング素子を有し、前記制御手段は、前記ブリッジのローサイド側のスイッチング素子を前記所定の点灯周波数で駆動させ、前記ブリッジのハイサイド側のスイッチング素子を前記所定の点灯周波数より高い周波数で駆動させる。
本発明においては、ブリッジのローサイド側のスイッチング素子を所定の点灯周波数で駆動し、ブリッジのハイサイド側のスイッチング素子を所定の点灯周波数より高い周波数で駆動して放電ランプへ供給される電力を制御しており、このため、点灯周波数を変化させることなく調光することが可能となり、点灯周波数の変化に伴うランプ電極の消耗を抑制することができる。さらに、フリッカの発生を抑制することができると共に、この放電灯点灯装置を仮にプロジェクタ等に用いた場合においても、表示画面の明るさが一部明るくなることがなく、表示画面の明るさの均一性が向上する。
【００１１】
本発明に係るプロジェクタは、放電ランプと、上記の放電灯点灯装置と、空間光変調器と、前記放電ランプからの光を前記空間光変調器に導く光学手段と、前記空間光変調器に描画された画像をスクリーンに投射する投射手段とを備えるものである。
本発明においては、上記放電灯点灯装置を備えたことにより、点灯周波数を変化させることなく調光することが可能となり、点灯周波数の変化に伴うランプ電極の消耗を抑制することができる。さらに、フリッカの発生を抑制することができると共に、表示画面の明るさが一部明るくなることがなく、表示画面の明るさの均一性が向上する。
【発明を実施するための最良の形態】
【００１２】
実施の形態１．
図１は実施の形態１に係る放電灯点灯装置の構成図である。放電灯点灯装置は、ダウンチョッパー回路２、インバータブリッジ回路３、イグナイタ回路８及び制御部６から構成されており、イグナイタ回路８の出力端には高圧放電ランプ７が接続されている。
【００１３】
ダウンチョッパー回路２は、本発明の直流電源に相当し、降圧型のチョッパー回路であり、インダクターＬ１、スイッチング素子Ｓ１及びダイオードＤから構成されており、スイッチング素子Ｓ１がオン／オフによりデューティ比が制御されることで入力電圧をチョッパー処理により降下させ、高圧放電ランプ７に所定の直流電流を供給する。
【００１４】
インバータブリッジ回路３は、本発明のインバータに相当し、フルブリッジ接続された４個のスイッチング素子Ｓ２〜Ｓ５から構成されており、ハイサイド側としてスイッチング素子Ｓ２、Ｓ４のペアと、ローサイド側としてスイッチング素子Ｓ３、Ｓ５のペアが、後述する動作によりオン／オフ制御されて、ダウンチョッパー回路２、スイッチング素子Ｓ２、イグナイタ回路８、高圧放電ランプ７、スイッチング素子Ｓ５、ダウンチョッパー回路２の経路で流れる電流と、ダウンチョッパー回路２、スイッチング素子Ｓ４、イグナイタ回路８、高圧放電ランプ７、スイッチング素子Ｓ３、ダウンチョッパー回路２の経路で流れる電流を交互に生成することで高圧放電ランプ７に交流矩形波の駆動電流を供給する。
【００１５】
イグナイタ回路８は、高圧放電ランプ７の始動時に高電圧のイグニッションパルスを印加するものであり、イグナイタトランス４、イグナイタトランス駆動回路５により構成されている。イグナイタトランス４は、１次巻線Ｔ１と２次巻線Ｔ２，Ｔ３から構成されており、１次巻線Ｔ１はイグナイタトランス駆動回路５に接続され、２次巻線Ｔ２，Ｔ３の一端はインバータブリッジ回路３と、他端側は高圧放電ランプ７に接続される。
【００１６】
制御部６は、本発明の制御手段に相当し、例えばマイクロプロセッサ等から構成され、ダウンチョッパー回路２、インバータブリッジ回路３及びイグナイタトランス駆動回路５をそれぞれ制御する。また、制御部６は、インバータブリッジ回路３の出力周波数を後述する動作により制御するとともに、イグナイタトランス駆動回路５を点灯開始時に制御して高電圧を発生させる。
【００１７】
高圧放電ランプ７は、例えば高圧水銀灯、高圧ナトリウム灯やメタルハライド灯などの高圧放電灯を用いた反射型の光源装置であり、発光管７１は反射鏡７２の中央部に耐熱セメントを介して固着されており、発光管７１の電極７３は口金７４に接続されており、口金７４はイグナイタトランス４の出力の一端に接続される。また、発光管７１の電極７５は反射鏡７２の周辺部に口金７６を介して接続されており、口金７６はイグナイタトランス４の出力の他端に接続される。
【００１８】
次に、図１の放電灯点灯装置の動作を説明する。ダウンチョッパー回路２は、入力した直流電圧をチョッパー処理により降下させ、その出力電流はインバータブリッジ回路３に供給する。インバータブリッジ回路３は、制御部６からの駆動制御により、所定の点灯周波数でローサイド側のスイッチング素子Ｓ３とスイッチング素子Ｓ５とが１８０度の位相差を有して交互にオン／オフ制御される。また、高圧放電ランプ７へ供給されるランプ電力の制御（後述）に応じた周波数又はタイミングで、ハイサイド側のスイッチング素子Ｓ２とスイッチング素子Ｓ４とが１８０度の位相差を有して交互にオン／オフ制御されることにより、供給された直流電流を交流電流に変換して高圧放電ランプ７に供給する。イグナイタ回路８は点灯開始時にイグニッションパルスを発生して高圧放電ランプ７に印加し、高圧放電ランプ７が点灯するとイグナイタ回路８の動作を停止して、インバータブリッジ回路３の出力電圧がそのまま高圧放電ランプ７に印加されて点灯状態を継続する。このような高圧放電ランプ７へ供給される電力制御の詳細を図２に基いて説明する。
【００１９】
図２は実施の形態１に係る駆動電流の電流波形を示す図である。図２（ａ）は点灯周波数で駆動した電流波形であり、図２（ｂ）は点灯周波数より高い周波数（以下、高周波という）でハイサイド側のスイッチング素子Ｓ２，Ｓ４を駆動した電流波形であり、図２（ｃ１）は駆動電流周期のうち一部分を高周波で駆動した電流波形であり、図２（ｃ）は点灯周波数より高い複数の周波数で駆動した電流波形である。図２（ｂ）示すように、ハイサイド側のスイッチング素子Ｓ２，Ｓ４を高周波で駆動した場合、図２（ａ）に示す点灯周波数で駆動した場合と比較して、その平均電流値は低下する。つまり、高圧放電ランプ７に供給されるランプ電力が低下することとなる。同様に、図２（ｃ１），図２（ｃ２）についても、高周波で駆動した部分は、その電力は低下する。即ち、駆動電流の半周期単位で、転流前後部分の電力を低下させることができる。
【００２０】
以上のように本実施形態１においては、制御部６がインバータブリッジ回路３のスイッチング素子Ｓ２〜Ｓ５を制御することにより、インバータブリッジ回路３のローサイド側のスイッチング素子Ｓ３，Ｓ５を点灯周波数で駆動し、ハイサイド側のスイッチング素子Ｓ２，Ｓ４を高周波数で駆動して高圧放電ランプ７へ供給するランプ電力を任意に制御することができるので、点灯周波数又はインバータブリッジ回路３に供給される直流電流を変化させることなく調光することが可能となり、点灯周波数の変化に伴うランプ電極の消耗を抑制することができる。
【００２１】
尚、本実施の形態１では、駆動電流の電流波形として、図２に示すような電流波形での動作を説明したが、本発明はこれに限るものではなく、他の波形パターンを用いて任意に電力制御を行うことが可能である。
【００２２】
実施の形態２．
本実施の形態２では、駆動電流の転流前又は／及び転流後の所定時間、高圧放電ランプ７へ供給される電力を増加させるように制御し、フリッカの発生を抑制する。尚、放電灯点灯装置の構成は、上記実施の形態１と同様である。
【００２３】
図３は実施の形態２に係る駆動電流の電流波形を示す図である。図３（ａ）は点灯周波数で駆動した電流波形であり、図３（ｄ１）〜（ｄ３）は転流前又は／及び転流後の所定時間にランプ電力を増加させる電流波形である。図３（ｄ１）に示すように、ハイサイド側のスイッチング素子Ｓ２，Ｓ４を高周波で駆動し、且つ、駆動電流が転流する前の所定の時間に、さらに高い周波数で駆動することにより、駆動電流が転流する前の所定の時間の電流値は相対的に高くなる。つまり、高圧放電ランプ７に供給されるランプ電力が、駆動電流が転流する前の所定の時間のみ増加することとなる。また、図３（ｄ２）に示すように、駆動電流の転流前の所定時間の間、ハイサイド側のスイッチング素子Ｓ２，Ｓ４を高周波で駆動することにより、上述と同様に、高圧放電ランプ７に供給されるランプ電力が、駆動電流が転流する前の所定の時間のみ増加することとなる。さらに、図３（ｄ３）に示すように、駆動電流の半周期のうち、中間の所定時間、ハイサイド側のスイッチング素子Ｓ２，Ｓ４を高周波で駆動することにより、駆動電流が転流する前及び後の所定の時間の電流値は相対的に高くなる。即ち、高圧放電ランプ７に供給されるランプ電力が、駆動電流が転流する前及び後の所定の時間のみ増加することとなる。
【００２４】
以上のように、本実施の形態２においては、駆動電流の転流前又は／及び転流後の所定時間、ランプ電流を増加させるようにハイサイド側のスイッチング素子Ｓ２，Ｓ４を高周波数で駆動しているので、駆動電流の転流前又は／及び転流後の所定時間にランプ電力が増加して高圧放電ランプ７に発生する放電アークが安定し、フリッカの発生を抑制することができる。
【００２５】
尚、本実施の形態２では、駆動電流の電流波形として、図３に示すような電流波形での動作を説明したが、本発明はこれに限るものではなく、駆動電流の転流前又は／及び転流後の所定時間、ランプ電流を増加させるような電流波形であれば、他の波形パターンを用いても良い。
【００２６】
実施の形態３．
本実施の形態３では、駆動電流の半周期単位で点灯周波数と非同期に、高圧放電ランプ７へ供給される電力を増加させるように制御する。尚、放電灯点灯装置の構成は、上記実施の形態１と同様である。
【００２７】
図４は実施の形態３に係る駆動電流の電流波形を示す図である。図４（ａ）は点灯周波数で駆動した電流波形であり、図４（ｅ）は点灯周波数と非同期に、ランプ電力を増加させる電流波形である。図４（ｅ）に示すように、駆動電流の半周期単位で点灯周波数と非同期に、ハイサイド側のスイッチング素子Ｓ２，Ｓ４を任意の時間高周波で駆動することにより、電流値が相対的に高くなる位置が、半周期単位で移動する。即ち、高圧放電ランプ７に供給されるランプ電力が、駆動電流の半周期単位で異なるタイミングで増加することとなる。
【００２８】
以上のように本実施の形態３においては、インバータブリッジ回路３が供給する駆動電流の半周期単位で、所定の点灯周波数と非同期に、高圧放電ランプ７へ供給される電力を増加させているので、フリッカの発生を抑制することができると共に、この放電灯点灯装置を仮にプロジェクタ等に用いた場合においても、点灯周波数と非同期に電力が増加しているので、表示画面の明るさが一部明るくなることがなく、表示画面の明るさの均一性が向上する。
【００２９】
尚、上記説明では、駆動電流の電流波形として、図４に示すような電流波形での動作を説明したが、本発明はこれに限るものではなく、点灯周波数と非同期にランプ電力を増加させるような電流波形であれば、他の波形パターンを用いても良い。
【００３０】
尚、実施の形態１〜３では、インバータブリッジ回路３が供給する駆動電流をオン又はオフさせて高圧放電ランプ７へ供給される電力を制御したが、本発明はこれに限らず、駆動電流を極性が変化しない範囲で脈動させることにより高圧放電ランプ７へ供給される電力を制御しても良い。
【００３１】
実施の形態４．
図５は実施の形態４に係るプロジェクタの光学系構成図である。本実施の形態におけるプロジェクタは、上記の実施の形態１〜３の何れかの放電灯点灯装置を照明光学系に組み込んだものである。図５の放電灯点灯装置１０は、図１の放電灯点灯装置に相当するものである。
【００３２】
このプロジェクタは、光学手段である照明光学系１００、ダイクロイックミラー２１０，２１２、反射ミラー２２０，２２２，２２４、入射側レンズ２３０、リレーレンズ２３２及び３枚のフィールドレンズ２４０，２４２，２４４と、空間光変調器である３枚の液晶パネル２５０，２５２，２５４と、投写手段である各液晶パネルの出射側及び入射側にそれぞれ配置された偏光板２５１，２５３，２５５，２５６，２５７，２５８、クロスダイクロイックプリズム２６０及び投射レンズ２７０とを備えている。
【００３３】
照明光学系１００は、ほぼ平行な光線束を射出する光源１１０と、照明装置１２０と、反射ミラー１５０と、コンデンサレンズ１６０とを備えている。光源１１０は、放射状の光線を射出する放射光源としての高圧放電ランプ７（図１参照）から構成されている。光源１１０から放射された光は照明装置１２０でその輝度が均一化された後、反射ミラー１５０を介してコンデンサレンズ１６０に入る。コンデンサレンズ１６０は、照明装置１２０から照射された均一光を液晶パネル２５０，２５２，２５４のパネル面へ入射させる。
【００３４】
さらに、２枚のダイクロイックミラー２１０，２１２は、照明光学系１００から射出された光を、赤（Ｒ）、緑（Ｇ）、青（Ｂ）の３つの色光に分離する色光分離光学系２１４を構成している。第１のダイクロイックミラー２１０は、照明光学系１００から射出された光の赤色光成分を透過させるとともに、青色光成分と緑色光成分とを反射する。第１のダイクロイックミラー２１０を透過した赤色光は、反射ミラー２２０で反射され、フィールドレンズ２４０を通って赤光用の液晶パネル２５０に達する。このフィールドレンズ２４０は、通過した各部分光線束が、各部分光線束の主光線（中心軸）に平行な光束となるように集光する機能を有している。他の液晶パネルの前に設けられたフィールドレンズ２４２，２４４も同様に作用する。
【００３５】
第１のダイクロイックミラー２１０で反射された青色光と緑色光のうちで、緑色光は第２のダイクロイックミラー２１２によって反射され、フィールドレンズ２４２を通って緑光用の液晶パネル２５２に達する。一方、青色光は、第２のダイクロイックミラー２１２を透過し、入射側レンズ２３０と、リレーレンズ２３２および反射ミラー２２２，２２４を備えたリレーレンズ系を通過する。リレーレンズ系を通過した青色光は、さらにフィールドレンズ２４４を通って青色光用の液晶パネル２５４に達する。
【００３６】
３枚の液晶パネル２５０，２５２，２５４は、それぞれに入射する各色光を、与えられた画像信号に応じて画像を形成するための光に変換して射出する光変調装置としての機能を有する。なお、この液晶パネル２５０，２５２，２５４の光入射側には偏光板２５６，２５７，２５８が有り、また、液晶パネル２５０，２５２，２５４の光出射側には偏光板２５１，２５３，２５５がそれぞれ設けられていて、それらにより各色光の偏光方向が調整されている。そして、これらの液晶パネル２５０，２５２，２５４を通過した光は、続いてクロスダイクロイックプリズム２６０に入る。
【００３７】
クロスダイクロイックプリズム２６０は、３枚の液晶パネル２５０，２５２，２５４から射出された３色の色光を合成する色光合成光学系としての機能を有する。クロスダイクロイックプリズム２６０には、赤光を反射する誘電体多層膜と、青光を反射する誘電体多層膜とが、４つの直角プリズムの界面に略Ｘ字状に形成されている。これらの誘電体多層膜によって３つの色光が合成されて、カラー画像を投射するための合成光が形成される。クロスダイクロイックプリズム２６０で生成された合成光は、投射レンズ２７０に入り、そこから投射スクリーン３００上に投射される。これにより液晶パネル２５０，２５２，２５４で表示された画像が投射スクリーン３００上に投射される。
【００３８】
以上のように本実施の形態３においては、上記実施の形態１〜３の何れかの放電灯点灯装置を備え、放電灯点灯装置により点灯された高圧放電ランプ７を照明光学系１００に適用して、上述のように点灯させることにより、点灯周波数を変化させることなく調光することが可能となり、点灯周波数の変化に伴うランプ電極の消耗を抑制することができる。さらに、フリッカの発生を抑制することができると共に、点灯周波数と非同期に電力が増加しているので、表示画面の明るさが一部明るくなることがなく、表示画面の明るさの均一性が向上する。
【００３９】
尚、本実施の形態３では、３枚の液晶パネル２５０，２５２，２５４を用いて光変調を行ったが、本発明はこれに限らず、他の空間光変調器を用いても良く、例えば、半導体基板の上に敷き詰められた微小面積のミラーの傾きを映像データに基いて制御することによって映像を投写するＤＭＤ（Digital Micro Mirror Device ：登録商標）を用いても良い。
【図面の簡単な説明】
【００４０】
【図１】実施の形態１に係る放電灯点灯装置の構成図である。
【図２】実施の形態１に係る駆動電流の電流波形を示す図である。
【図３】実施の形態２に係る駆動電流の電流波形を示す図である。
【図４】実施の形態３に係る駆動電流の電流波形を示す図である。
【図５】実施の形態４に係るプロジェクタの光学系構成図である。
【符号の説明】
【００４１】
２  ダウンチョッパー回路、３  インバータブリッジ回路、４  イグナイタトランス、５  イグナイタトランス駆動回路、６  制御部、７  高圧放電ランプ、８  イグナイタ回路、１０  放電灯点灯装置、７１  発光管、７２  反射鏡、７３  電極、７４  口金、７５  電極、７６  口金、１００  照明光学系、１１０  光源、１２０  照明装置、１５０  反射ミラー、１６０  コンデンサレンズ、２１０  ダイクロイックミラー、２１２  ダイクロイックミラー、２１４  色光分離光学系、２２０  反射ミラー、２２２  反射ミラー、２２４  反射ミラー、２３０  入射側レンズ、２３２  リレーレンズ、２４０  フィールドレンズ、２４０  フィールドレンズ、２４２  フィールドレンズ、２４４  フィールドレンズ、２５０  液晶パネル、２５１  偏光板、２５２  液晶パネル、２５３  偏光板、２５４  液晶パネル、２５５  偏光板、２５６  偏光板、２５７  偏光板、２５８  偏光板、２６０  クロスダイクロイックプリズム、２７０  投射レンズ、３００  投射スクリーン、Ｄ  ダイオード、Ｌｌ  インダクター、Ｓ１  スイッチング素子、Ｓ２  スイッチング素子、Ｓ３  スイッチング素子、Ｓ４  スイッチング素子、Ｓ５  スイッチング素子、Ｔ１  １次巻線、Ｔ２  ２次巻線、Ｔ３  ２次巻線。
【図１】
2008123890.tif 000003
【図２】
2008123890.tif 000004
【図３】
2008123890.tif 000005
【図４】
2008123890.tif 000006
【図５】
2008123890.tif 000007